(57)【要約】【課題】消火用ホースを引き出すための開口部をより低い位置に設けることができ、より簡便に消火栓扉の開扉を行うことができる消火栓装置を提供する。【解決手段】消火用ホースを収容する筐体２と、筐体２に設けられ、該消火用ホースを筐体２外に引き出すための開口部４と、開口部４を開閉するための消火栓扉５と、を備える消火栓装置１において、消火栓扉５を、高さ方向に配置して設けられた上扉１１と、下扉１２と、を有するものとし、上扉１１及び下扉１２を、消火栓扉５を開扉する際に、前傾方向Ａ１０，Ａ１１又は後傾方向の少なくとも一方に回動可能に設けられた回動扉若しくは消火栓扉５を開扉する際に、上昇方向Ａ２１又は下降方向Ａ２０の少なくとも一方に移動可能に設けられた昇降扉の何れかで構成する。【選択図】図２Ａ
2018110753.tif 000002
【特許請求の範囲】
【請求項１】
消火用ホースを収容する筐体と、
該筐体に設けられ、該消火用ホースを該筐体外に引き出すための開口部と、
該開口部を開閉するための消火栓扉と、を備えており、
該消火栓扉は、高さ方向に配置して設けられた第１の扉と、第２の扉と、を有しており、
該第１の扉は、該消火栓扉を開扉する際に、前傾又は後傾方向の少なくとも一方に回動可能に設けられた回動扉であり、
該第２の扉は、該消火栓扉を開扉する際に、上昇又は下降方向の少なくとも一方に移動可能に設けられた昇降扉であることを特徴とする消火栓装置。
【請求項２】
消火用ホースを収容する筐体と、
該筐体に設けられ、該消火用ホースを該筐体外に引き出すための開口部と、
該開口部を開閉するための消火栓扉と、を備えており、
該消火栓扉は、高さ方向に配置して設けられた第１の扉と、第２の扉と、を有しており、
該第１の扉及び該第２の扉は、該消火栓扉を開扉する際に、前傾又は後傾方向の少なくとも一方に回動可能に設けられた回動扉であることを特徴とする消火栓装置。
【請求項３】
消火用ホースを収容する筐体と、
該筐体に設けられ、該消火用ホースを該筐体外に引き出すための開口部と、
該開口部を開閉するための消火栓扉と、を備えており、
該消火栓扉は、高さ方向に配置して設けられた第１の扉と、第２の扉と、を有しており、
該第１の扉及び該第２の扉は、該消火栓扉を開扉する際に、上昇又は下降方向の少なくとも一方に移動可能に設けられた昇降扉であることを特徴とする消火栓装置。
【請求項４】
前記消火栓扉が閉扉された際に、前記第１の扉又は前記第２の扉の内、少なくとも一方の扉を掛止する掛止部が設けられており、
該一方の扉には、該掛止部よる掛止を解除するための操作部が設けられており、
該掛止部による掛止が解除された際に、前記第１の扉又は前記第２の扉の内、他方の扉が開扉可能となることを特徴とする請求項１乃至３の何れかに記載の消火栓装置。
【請求項５】
前記第２の扉は、前記消火栓扉を開扉する際に、下降方向に移動可能に設けられた昇降扉であり、
前記第１の扉は、該第２の扉の上方に設けられていると共に該第２の扉に回動可能に連結されていることを特徴とする請求項１又は請求項１を引用する請求項４に記載の消火栓装置。
【請求項６】
前記第１の扉は、前記第２の扉の上方に設けられていると共に該第２の扉に回動可能に連結されていることを特徴とする請求項２又は請求項２を引用する請求項４に記載の消火栓装置。
【請求項７】
前記第１の扉は、前記消火栓扉の開扉をする際に、前傾方向に回動可能に設けられた回動扉であり、
該第１の扉の裏面には、前記消火用ホースの一端が接続されたノズル部が取付けられたノズル取付部が設けられていることを特徴とする請求項５又は６に記載の消火栓装置。
【請求項８】
前記第１の扉は、前記消火栓扉の開扉をする際に、前傾方向に回動可能に設けられた回動扉であると共に前記第２の扉の下方に設けられており、
該第１の扉の裏面には、前記消火用ホースの一端が接続されたノズル部が取付けられたノズル取付部が設けられていることを特徴とする請求項１、２又は４に記載の消火栓装置。
【請求項９】
前記第１の扉及び前記第２の扉は、前記消火栓扉を開扉した際に前後方向に並列する様に設けられる、又は、両開きに設けられることを特徴とする請求項１乃至８の何れかに記載の消火栓装置。
【請求項１０】
前記第１の扉又は前記第２の扉の内、下方に設けられた扉の開扉と連動して、該第１の扉又は該第２の扉の内、上方に設けられた扉が開扉されることを特徴とする請求項１乃至９の何れかに記載の消火栓装置。
【発明の詳細な説明】
【技術分野】
【０００１】
本発明は、消火栓装置に関して、より詳細には、第１の扉及び第２の扉を備える消火栓装置に関する。
【背景技術】
【０００２】
従来、トンネルに設置される消火栓装置がある（例えば、特許文献１及び２を参照）。この様な消火栓装置は、トンネルの壁面を箱抜きして作成されたスペースに埋め込む形で設置されていたが、近年、シールド工法によってトンネルの掘削が行われる様になっており、この場合、トンネルの壁面を箱抜きして消火栓装置の設置スペースを確保することが困難となる。
【０００３】
そのため、シールド工法によって掘削されたトンネルにおいては、消火栓装置は、トンネルの壁面に埋め込まず、監査路等の空いているスペースに設置されることとなる。この様な監査路に設けられた消火栓装置においては、監査路のスペースの都合上、使用者が監査路よりも一段低い位置にある道路面に立って消火栓装置の操作を行う必要な場合がある。
【先行技術文献】
【特許文献】
【０００４】
【特許文献１】特開２００６−１８１０５７号公報
【特許文献２】特開２０１４−２１７６４６号公報
【発明の概要】
【発明が解決しようとする課題】
【０００５】
消火栓装置を操作する際には、消火用ホースを引き出すための開口部を閉鎖する消火栓扉を開扉する必要がある。使用者が前記道路面に立って消火栓装置を操作する場合、消火栓扉は、消火栓装置が設置されている監査路等と道路面との段差の分、高い位置で操作することとなる。
【０００６】
特許文献１及び２に記載の消火栓装置においても、十分簡便に消火栓扉の開扉を行うことは可能であるが、より低い位置に消火栓扉を設けることができれば、道路面からの消火栓装置の操作がより簡便となることは確かである。そのためには、消火栓扉が閉鎖している開口部をより低い位置に設ける必要がある。
【０００７】
しかしながら、従来の消火栓装置においては、消火栓扉の下方に開扉時に消火栓扉を一時的に保持しておくために、開口部の下に消火栓扉と同等のスペースを確保する必要があったが、消火栓扉の大きさ、即ち、開口部の大きさを小さくすることは、消火ホースの引き出し等に支障を来たす可能性があるため消火栓扉をより低い位置に設けることは困難であった。
【０００８】
そこで、本発明は、消火用ホースを引き出すための開口部をより低い位置に設けることができ、より簡便に消火栓扉の開扉を行うことができる消火栓装置を提供することを目的とする。
【課題を解決するための手段】
【０００９】
本発明は、消火用ホースを収容する筐体と、該筐体に設けられ、該消火用ホースを該筐体外に引き出すための開口部と、該開口部を開閉するための消火栓扉と、を備えており、
該消火栓扉は、高さ方向に配置して設けられた第１の扉と、第２の扉と、を有しており、該第１の扉は、該消火栓扉を開扉する際に、前傾又は後傾方向の少なくとも一方に回動可能に設けられた回動扉であり、該第２の扉は、該消火栓扉を開扉する際に、上昇又は下降方向の少なくとも一方に移動可能に設けられた昇降扉であることを特徴とする消火栓装置である。
【００１０】
又、本発明は、消火用ホースを収容する筐体と、該筐体に設けられ、該消火用ホースを該筐体外に引き出すための開口部と、該開口部を開閉するための消火栓扉と、を備えており、該消火栓扉は、高さ方向に配置して設けられた第１の扉と、第２の扉と、を有しており、該第１の扉及び該第２の扉は、該消火栓扉を開扉する際に、前傾又は後傾方向の少なくとも一方に回動可能に設けられた回動扉であることを特徴とする消火栓装置である。
【００１１】
又、本発明は、消火用ホースを収容する筐体と、該筐体に設けられ、該消火用ホースを該筐体外に引き出すための開口部と、該開口部を開閉するための消火栓扉と、を備えており、該消火栓扉は、高さ方向に配置して設けられた第１の扉と、第２の扉と、を有しており、該第１の扉及び該第２の扉は、該消火栓扉を開扉する際に、上昇又は下降方向の少なくとも一方に移動可能に設けられた昇降扉であることを特徴とする消火栓装置である。
【００１２】
更に、本発明は、前記消火栓扉が閉扉された際に、前記第１の扉又は前記第２の扉の内、少なくとも一方の扉を掛止する掛止部を設けると共に該一方の扉に、該掛止部よる掛止を解除するための操作部を設け、該掛止部による掛止が解除された際に、該第１の扉又は該第２の扉の内、他方の扉が開扉可能となる様にすることも可能である。又、本発明は、前記第１の扉を、前記第２の扉の上方に設けると共に該第２の扉に回動可能に連結することも可能であり、その際に、該第２の扉を、該消火栓扉を開扉する際に、下降方向に移動可能に設けられた昇降扉とすることが可能である。
【００１３】
又、本発明は、前記第１の扉を、前記消火栓扉の開扉をする際に、前傾方向に回動可能に設けられた回動扉とし、該第１の扉の裏面に、前記消火用ホースの一端が接続されたノズル部が取付けられたノズル取付部を設けることも可能である。
【００１４】
又、本発明は、前記第１の扉及び前記第２の扉を、前記消火栓扉を開扉した際に前後方向に並列する様に設ける、又は、両開きに設けることが可能である。又、本発明は、前記第１の扉又は前記第２の扉の内、下方に設けられた扉の開扉と連動して、該第１の扉又は該第２の扉の内、上方に設けられた扉が開扉される様にすることも可能である。
【００１５】
尚、本発明において、「第１の」及び「第２の」という表現を使用しているが、この表現は、各構成を区別するために使用しているに過ぎず、その数字や順番には特に意味がないものである。又、本発明において、前後上下の方向は、筐体の開口部が設けられている側を前面とし、消火栓装置が設置された状態で定めるものとする。又、本発明において、消火栓扉（第１の扉及び第２の扉を含む）の表裏は、消火栓扉を閉扉した状態で定めるものとする。
【発明の効果】
【００１６】
本発明は、消火栓扉を第１の扉と第２の扉を有するものとし、各々の扉を前傾又は後傾方向の何れかに回動可能な回動扉若しくは上昇又は下降方向に移動可能な昇降扉としたため、開扉する際に該消火栓扉を収容するに必要なスペースをより狭いものとすることができる。そのため、より低い位置に開口部、即ち、消火栓扉を設けることができ、道路面等からもより簡便に消火栓装置を操作することが可能である。
【図面の簡単な説明】
【００１７】
【図１】本発明の第１実施形態を示す正面図である。
【図２Ａ】本発明の第１実施形態における消火栓扉の開扉の様子を示す略図であり、閉扉時の状態を示す図である。
【図２Ｂ】本発明の第１実施形態における消火栓扉の開扉の様子を示す略図であり、上扉の開扉開始時の状態を示す図である。
【図２Ｃ】本発明の第１実施形態における消火栓扉の開扉の様子を示す略図であり、下扉の開扉が完了した状態を示す図である。
【図２Ｄ】本発明の第１実施形態における消火栓扉の開扉の様子を示す略図であり、消火栓扉の開扉が完了した状態を示す図である。
【図３】本発明の第２実施形態を示す正面図である。
【図４Ａ】本発明の第２実施形態における消火栓扉の開扉の様子を示す略図であり、閉扉時の状態を示す図である。
【図４Ｂ】本発明の第２実施形態における消火栓扉の開扉の様子を示す略図であり、下扉の開扉開始時の状態を示す図である。
【図４Ｃ】本発明の第２実施形態における消火栓扉の開扉の様子を示す略図であり、上扉の開扉が完了した状態を示す図である。
【図４Ｄ】本発明の第２実施形態における消火栓扉の開扉の様子を示す略図であり、消火栓扉の開扉が完了した状態を示す図である。
【図５Ａ】本発明の第３実施形態における消火栓扉の開扉の様子を示す略図であり、閉扉時の状態を示す図である。
【図５Ｂ】本発明の第３実施形態における消火栓扉の開扉の様子を示す略図であり、消火栓扉の開扉開始時の状態を示す図である。
【図５Ｃ】本発明の第３実施形態における消火栓扉の開扉の様子を示す略図であり、上扉の開扉が完了した状態を示す図である。
【図５Ｄ】本発明の第３実施形態における消火栓扉の開扉の様子を示す略図であり、消火栓扉の開扉が完了した状態を示す図である。
【図６Ａ】本発明の第４実施形態における消火栓扉の開扉の様子を示す略図であり、閉扉時の状態を示す図である。
【図６Ｂ】本発明の第４実施形態における消火栓扉の開扉の様子を示す略図であり、消火栓扉の開扉開始時の状態を示す図である。
【図６Ｃ】本発明の第４実施形態における消火栓扉の開扉の様子を示す略図であり、消火栓扉の開扉が完了した状態を示す図である。
【発明を実施するための形態】
【００１８】
本発明の第１実施形態を図１及び図２に基づき説明する。始めに、本実施形態の消火栓装置１の構成について説明する。消火栓装置１は、図示しない消火用ホースを収容する筐体２を備えており、例えば、トンネル内の監査路等に設置される。筐体２は、その前面に前面パネル３を有している。
【００１９】
前面パネル３には、火災時に前記の消火用ホースを筐体２外に引き出すための開口部４が設けられていると共に開口部４を、常時は閉鎖し、火災時には開放可能に設けられた、開口部４の開閉手段たる消火栓扉５が設けられている。開口部４は、その下方には、消火栓扉５を開扉した際に、消火栓扉５を一時的に保持しておくための保持スペース６が形成される様な位置に設けられる。本実施形態において、前面パネル３には、筐体２内に収容された消火器７を筐体２外へ取り出すための消火器扉８、表示灯９、発信機１０等が設けられている。
【００２０】
消火栓扉５は、高さ（上下）方向に並列して配設された２つの扉１１，１２を有している（以下、上方に配設された扉１１を上扉１１と、下方に配設された扉１２を下扉１２と便宜的に表記する）。上扉１１は、消火栓扉５を開扉する際に、前傾方向Ａ１０に回動可能に設けられた回動扉であり、下扉１２は、消火栓扉５を開扉する際に、下降方向Ａ２０に移動可能に設けられた昇降扉である。
【００２１】
上扉１１は、回動可能に連結可能な連結手段によって、開扉をする際に前傾方向Ａ１０に回動可能に下扉１２の上端側に連結されている。前記連結手段としては、例えば、ダンパヒンジ１３が採用される。ダンパヒンジ１３は、上扉１１が開放する際に、上扉１１が急激に開放しないように付勢している。上扉１１の裏面１１ａには、後述する掛止部を解除操作する操作部１４が設けられている。本実施形態において、上扉１１と下扉１２とは、略同じ大きさで形成される。
【００２２】
下扉１２は、筐体２に設けられた昇降付勢手段を伴って、開扉の際には下降方向Ａ２０に、閉扉の際には上昇方向Ａ２１に昇降可能となっている。前記昇降付勢手段は、消火栓装置１の設計に応じて適宜選択可能であるが、本実施の形態の場合、下扉１２が急激に下降方向へ開放しないように付勢している。例えば、開口部４の左右両端縁の近傍に設けられた１対のダンパ（図示せず）を採用することが可能である。本実施形態において、ダンパとして、オイル又はオイル及びガスが充填されたシリンダと、該シリンダ内を２つのシリンダ室に区画すると共に該シリンダ内を高さ方向に摺動可能に形成されたピストンロッドを有するピストン式のダンパを採用している。
【００２３】
本実施形態において、開口部４の上端縁４ａ、即ち、前面パネル３の消火栓扉５を閉扉した際に上扉１１の上端と対向する部分には、掛止部（図示せず）が設けられており、上扉１１は、閉扉時において、該掛止部と操作部１４によって掛止される様になっている。これによって、下扉１２が不意に下降方向Ａ２０に移動し、消火栓扉５が開扉されることを防止している。前記掛止部として、例えば、ラッチが採用される。
【００２４】
又、上扉１１には、該掛止部（ラッチ）による上扉１１の掛止を解除するための操作部１４を裏面１１ａに備えるハンドル部１５が設けられている。本実施形態において、ハンドル部１５は、上扉１１を開扉する際に、使用者が把持する把持部を兼ねている。
【００２５】
次に、本実施形態の消火栓装置１における消火栓扉５の開扉操作について説明する。
（１）使用者は、上扉１１のハンドル部１５を把持し、ラッチ解錠操作を行い、手前に引くと、上扉１１は、その自重で前傾方向Ａ１０へと回動する。この時、上扉１１と前面パネル３との間のラッチによる掛止が解除され、下扉１２は下降方向Ａ２０に移動することが可能となる（図２Ｂを参照）。
（２）下扉１２は、その自重で下降方向Ａ２０へと移動する（図２Ｃを参照）。
（３）上扉１１が、更に前傾方向Ａ１０に回動し、消火栓扉５の開扉操作は完了する（図２Ｄを参照）。この際、消火栓扉５は、ダンパヒンジ１３を中心として折畳まれた状態で保持スペース６に保持される。
【００２６】
従って、本実施形態の消火栓装置１においては、消火栓扉５を開扉した際に、上扉１１と下扉１２とを、前後方向に並列させることが可能であるため少なくとも消火栓扉５の上扉１１及び下扉１２の内、より大きな一方の扉と略同じ大きさの保持スペース６を開口部４の下方に確保しておけばよいこととなる。上扉１１及び下扉１２は、開口部４の大きさよりも小さいため開口部４の大きさを変えることなく保持スペース６の大きさを小さくすることが可能である。
【００２７】
このことによって、本実施形態の消火栓装置１は、より下方に開口部４を設けることができ、消火栓装置１が設置された監査路等よりも一段低い位置にある道路面等からであっても使用者がより簡便に操作することが可能となっている。
【００２８】
本発明の第２実施形態を図３及び図４に基づき説明する。第１実施形態との相違は、上扉１１を、開扉の際に上昇方向Ａ２１に移動可能な昇降扉とし、下扉１２を前傾方向Ａ１０に回動可能な回動扉としたことである。第１実施形態と同一の符号の構成については、同実施形態と同様であるので説明を省略する。
【００２９】
本実施形態において、上扉１１は、昇降手段によって、開扉する際には上昇方向Ａ２１に、閉扉する際には下降方向Ａ２０に移動可能に設けられた昇降扉として設けられている。前記昇降手段としては、例えば、１対のガススプリング（図示せず）が採用される。又、下扉１２は、開口部４の下端縁４ｂとダンパヒンジ１３を介して連結されており、それによって、前傾方向Ａ１０に回動可能な回動扉として設けられている。
【００３０】
上扉１１は、図示しないラッチによって、下扉１２と互いに掛止されており、これにより、不意に上昇方向Ａ２１に移動することが防止されていると共に前記ラッチが外れた際には、上昇方向Ａ２１に移動する様になっている。又、下扉１２には、ハンドル部１５が設けられており、ハンドル部１５は、下扉１２の裏面１２ａにラッチを解除操作する操作部１４を備えている。
【００３１】
本実施形態の消火栓装置１における消火栓扉５の開扉操作は、以下に示す通りである。
（１）使用者は、下扉１２のハンドル部１５を把持し、操作部１４を操作して、下扉１２を前傾方向Ａ１０へと回動させる。この時、上扉１１と下扉１２と間のラッチによる掛合が解除され、上扉１１を上昇方向Ａ２１に移動させることが可能となる（図４Ｂを参照）。
（２）上扉１１と下扉１２と間のラッチによる掛合が解除されるのと連動して、即ち、上扉１１の開扉と連動して、ガススプリングによって、上扉１１は上昇方向Ａ２１へと移動する（図４Ｃを参照）。
（３）下扉１２は、その自重により更に前傾方向Ａ１０に回動し、消火栓扉５の開扉操作は完了する（図４Ｄを参照）。
【００３２】
従って、本実施形態の消火栓装置１においては、上扉１１と下扉１２とが両開きとなっているため少なくとも下扉１２と略同じ大きさの保持スペース６を開口部４の下方に確保しておけばよいこととなる。下扉１２は、開口部４の大きさよりも小さいため開口部４の大きさを変えることなく保持スペース６の大きさを小さくすることが可能である。つまり、第１の実施形態と同様に道路面等からであっても使用者がより簡便に操作することが可能となっている。
【００３３】
本発明の第３実施形態を図５に基づき説明する。第１実施形態との相違は、上扉１１及び下扉１２の両方を、開扉する際に前傾方向Ａ１０，Ａ１１に回動可能な回動扉としたことである。第１実施形態と同一の符号の構成については、同実施形態と同様であるので説明を省略する。
【００３４】
本実施形態において、下扉１２は、連結手段の一例たるダンパヒンジ１３を介して開口部４の下端縁に開扉をする際に前傾方向Ａ１０に回動可能に連結されている。又、下扉１２には、ハンドル部１５が設けられており、ハンドル部１５は、下扉１２の裏面１２ａにラッチを解除操作する操作部１４を備えている。
【００３５】
上扉１１は、例えば、ダンパヒンジ等の回動可能な連結手段（図示せず）を介して開口部４の上端縁４ａに開扉をする際に前傾方向Ａ１１に回動可能に連結されている。又、上扉１１は、図示しないラッチによって下扉１２と互いに掛止されていると共に図示しないガススプリング等の付勢手段によって、前傾方向Ａ１１に付勢がされている。そのため、上扉１１は、前記ラッチによって、不意に開扉されることが防止されていると共に該ラッチが外れた際には、前傾方向Ａ１１に回動する様になっている。
【００３６】
本実施形態の消火栓装置１における消火栓扉５の開扉操作は、以下に示す通りである。
（１）使用者は、下扉１２のハンドル部１５を把持し、操作部１４を操作して、下扉１２を前傾方向Ａ１０へと回動させる。この時、上扉１１と下扉１２と間のラッチによる掛合が解除され、上扉１１を前傾方向Ａ１１に移動させることが可能となる（図５Ｂを参照）。
（２）上扉１１と下扉１２と間のラッチによる掛合が解除されるのと連動して、前記付勢手段によって、上扉１１を前傾方向Ａ１１に回動する（図５Ｃを参照）。
（３）下扉１２が、その自重により更に前傾方向Ａ１０に回動することで消火栓扉５の開扉操作は完了する（図５Ｄを参照）。
【００３７】
従って、本実施形態の消火栓装置１においては、上扉１１と下扉１２とが両開きとなっているため少なくとも下扉１２と略同じ大きさの保持スペース６を開口部４の下方に確保しておけばよいこととなる。下扉１２は、開口部４の大きさよりも小さいため開口部４の大きさを変えることなく保持スペース６の大きさを小さくすることが可能である。つまり、第１の実施形態と同様に道路面等からであっても使用者がより簡便に操作することが可能となっている。
【００３８】
本発明の第４実施形態を図６に基づき説明する。第１実施形態との相違は、開扉する際に上扉１１を上昇方向Ａ２１に移動可能な昇降扉とし、下扉１２を、開扉する際に下降方向Ａ２０に移動可能な昇降扉としたことである。第１実施形態と同一の符号の構成については、同実施形態と同様であるので説明を省略する。
【００３９】
本実施形態において、上扉１１は、昇降手段の一例たるガススプリングによって、開扉する際には上昇方向Ａ２１に、閉扉する際には下降方向Ａ２０に移動可能に設けられた昇降扉として設けられている。上扉１１は、下扉１２と図示しないラッチによって互いに掛止されており、これによって、不意に上扉１１は開扉されることが防止されている。
【００４０】
又、下扉１２は、昇降手段の一例たるダンパによって、開扉する際には下降方向Ａ２０に、閉扉する際には上昇方向Ａ２１に移動可能に設けられた昇降扉として設けられていると共にハンドル部１５が設けられており、ハンドル部１５は、下扉１２の裏側にラッチを解除操作する操作部（図示せず）を備えている。
【００４１】
本実施形態の消火栓装置１における消火栓扉５の開扉操作は、以下に示す通りである。
（１）使用者は、下扉１２のハンドル部１５を把持し、操作部１４を操作して、上扉１１と下扉１２と間のラッチによる掛合を解除すると、上扉１１を上昇方向Ａ２１に移動させることが可能となり、下扉１２は、その自重で下降方向Ａ２０へ移動する（図６Ｂを参照）。
（２）上扉１１と下扉１２と間のラッチによる掛合が解除されるのと連動して、ガススプリングによって、上扉１１が上昇方向Ａ２１へと移動する。それによって、消火栓扉５の開扉操作は完了する（図６Ｃを参照）。
【００４２】
従って、本実施形態の消火栓装置１においては、上扉１１と下扉１２とが両開きとなっているため少なくとも下扉１２と略同じ大きさの保持スペース６を開口部４の下方に確保しておけばよいこととなる。下扉１２は、開口部４の大きさよりも小さいため開口部４の大きさを変えることなく保持スペース６の大きさを小さくすることが可能である。つまり、第１の実施形態と同様に道路面等からであっても使用者がより簡便に操作することが可能となっている。
【００４３】
以上、本発明を、上記実施形態に基づき説明したが、本発明は、上記実施形態に限定されるものではなく、発明の要旨を変更しない範囲で適宜変更可能である。
【００４４】
例えば、（ｉ）上記実施形態の様に、回動扉として設けられた扉１１，１２を開扉する際に前傾方向Ａ１０，Ａ１１に回動可能に設けることは、薄型の筐体２に対しても適用可能という点で好適であるが、筐体２内のスペースに余裕がある場合は、これら回動扉を、開扉する際に後傾方向（前傾方向Ａ１０，Ａ１１とは逆の方向）に回動する様に設けることも可能である。
【００４５】
（ii）上記第１実施形態で示した様な前傾方向Ａ１０に回動可能に且つ消火栓扉５を開扉した際に下降方向Ａ２０に移動する上扉１１の裏面１１ａや第２及び第３実施形態で示した様な前傾方向Ａ１０に回動可能に設けられた下扉１２の裏面１２ａにノズル取付部（図示せず）を設け、このノズル取付部に、消火ホースの先端側に設けられた使用者が該消火ホースを引き出す際に把持するノズルを取付ける様にすることも可能である。この様にすることで、消火栓扉５を開扉する際に、該ノズルは、上扉１１又下扉１２と共に消火栓装置１の比較的低い位置まで下降することとなるため当該道路面からも消火ホースがより引き出し易くなり、道路面からの消火栓装置１の操作がより簡便となる。
【００４６】
（iii）上記第２乃至第４実施形態において、上扉１１を下扉１２の開扉と連動して開扉される様にしたが、上扉１１、下扉１２の開扉を使用者自身の手によって開扉する様にすることも可能である。
【００４７】
（iv）上記第３実施形態において、上扉１１と下扉１２とを両開きとなる様に構成したが、第１実施形態の様に上扉１１を下扉１２に回動可能に連結し、開扉する際に消火栓扉５を二段折にすることも可能である。又、この際に、例えば、上扉１１を開扉する際に前傾方向Ａ１０及び後傾方向の何れにも回動可能に形成し、下扉１２の裏面側に上扉１１を収容可能なスペースを設けておき、上扉１１が該スペースに収容される形で消火栓扉５を折り畳み、上扉１１と下扉１２とを前後方向に並列させることも可能である。
【００４８】
（ｖ）上記第４実施形態においては、上扉１１と下扉１２とが異なる方向へと移動する昇降扉として設けたが、開扉する際に、両方とも同一の方向に移動する昇降扉として設けることも可能である。この場合、例えば、上扉１１と下扉１２とを、引き違いにしたり、一方の扉が他方の扉に収容される様にしたりし、第１実施形態の様に、消火栓扉５を開扉した際に、上扉１１と下扉１２が前後方向に並列する様に構成される。
【００４９】
（vi）上記実施形態おいては、消火栓扉５を上扉１１及び下扉１２とで構成したが、中扉（図示せず）等を設け、消火栓扉５を３つ以上の扉から構成する様にすることも可能である。
【００５０】
（vii）上記実施形態において、昇降扉として設けられた上扉１１及び下扉１２は、消火栓扉５が開扉された際に、前面パネル３の裏面側に収まる様になっているが、前面パネル３の表面側に収まる様にすることも可能である。
【符号の説明】
【００５１】
１      消火栓装置          ２      筐体                ３      前面パネル
４      開口部              ４ａ    上端縁              ４ｂ    下端縁
５      消火栓扉            ６      保持スペース        ７      消火器
８      消火器扉            ９      表示灯              １０    発信機
１１    上扉                １１ａ  裏面                １２    下扉
１２ａ  裏面                １３    ダンパヒンジ        １４    操作部
１５    ハンドル部          Ａ１０  前傾方向            Ａ１１  前傾方向
Ａ２０  下降方向            Ａ２１  上昇方向
【図１】
2018110753.tif 000003
【図２Ａ】
2018110753.tif 000004
【図２Ｂ】
2018110753.tif 000005
【図２Ｃ】
2018110753.tif 000006
【図２Ｄ】
2018110753.tif 000007
【図３】
2018110753.tif 000008
【図４Ａ】
2018110753.tif 000009
【図４Ｂ】
2018110753.tif 000010
【図４Ｃ】
2018110753.tif 000011
【図４Ｄ】
2018110753.tif 000012
【図５Ａ】
2018110753.tif 000013
【図５Ｂ】
2018110753.tif 000014
【図５Ｃ】
2018110753.tif 000015
【図５Ｄ】
2018110753.tif 000016
【図６Ａ】
2018110753.tif 000017
【図６Ｂ】
2018110753.tif 000018
【図６Ｃ】
2018110753.tif 000019